Podtech/llm-jp-corpus-v4-ja_patent huggingface dataset:
(57)【要約】【課題】上殿皮神経や中殿皮神経の絞扼に由来する腰痛を軽減することができる腰痛ベルトの提供。【解決手段】左右の広背筋の腹側から左右の大殿筋の表面に出てくる左右の上殿皮神経と左右の中殿皮神経の少なくとも一つの神経を、大殿筋表面における当該神経出口部の前後を挟む２ヶ所の位置で押圧するパッドが、ベルト本体の背当て部内面側に、着脱自在に取り付けられていることを特徴とする腰痛ベルト。【選択図】図１
2016202356.tif 000002
【特許請求の範囲】
【請求項１】
左右の広背筋の腹側から左右の大殿筋の表面に出てくる左右の上殿皮神経と左右の中殿皮神経の少なくとも一つの神経を、大殿筋表面における当該神経出口部の前後を挟む２ヶ所の位置で押圧するパッドが、ベルト本体の背当て部内面側に、着脱自在に取り付けられていることを特徴とする腰痛ベルト。
【請求項２】
前記ベルト本体の背当て部内面側が、大殿筋表面における当該神経出口部の位置の目安表示を有することを特徴とする請求項１記載の腰痛ベルト。
【発明の詳細な説明】
【技術分野】
【０００１】
本発明は腰痛ベルト、更に詳細には上殿皮神経や中殿皮神経由来の腰痛軽減に効果的な腰痛ベルトに関する。
【背景技術】
【０００２】
従来、腰痛ベルトとしては種々の形態のものが既に報告されているが、その中にはパッド付きのものも存在する（例えば、特許文献１参照）。而して、斯かる従来のパッド付き腰痛ベルトのパッドは、一般に背骨の両サイドを押圧するタイプのものであった。
しかしながら、図４に示される上殿皮神経３０や中殿皮神経４０由来の腰痛は、当該神経の大殿筋２０表面における出口付近３０，４０に絞扼がある場合に、繰り返す動作や同一姿勢の持続などをきっかけに神経が絞扼部分で刺激されて痛みが生じるものであるため、従来の如き背骨６０の両サイドの押圧では軽減できない、と云う問題があった。
【先行技術文献】
【特許文献】
【０００３】
【特許文献１】特開２００６−１１０１７９号公報
【発明の概要】
【発明が解決しようとする課題】
【０００４】
本発明は上記の如き従来の問題に鑑みてなされたものであり、上殿皮神経や中殿皮神経の絞扼に由来する腰痛を軽減することができる腰痛ベルトを提供することを課題としている。
【課題を解決するための手段】
【０００５】
本発明者は、上記の課題を解決すべく種々研究を重ねた結果、上殿皮神経及び中殿皮神経は広背筋の下側から大殿筋の表面に出てくる神経であるが、当該神経の出口部の前後２ヶ所で押圧すれば、極めて良い結果が得られることを見い出し、本発明を完成した。
【０００６】
すなわち、本発明は、左右の広背筋の腹側から左右の大殿筋の表面に出てくる左右の上殿皮神経と左右の中殿皮神経の少なくとも一つの神経を、大殿筋表面における当該神経出口部の前後を挟む２ヶ所の位置で押圧するパッドが、ベルト本体の背当て部内面側に、着脱自在に取り付けられていることを特徴とする腰痛ベルトにより上記課題を解決したものである。
【発明の効果】
【０００７】
本発明によれば、上殿皮神経及び／又は中殿皮神経が、その大殿筋表面における出口部の前後２ヶ所で押圧固定され、当該神経自体の動きが抑制されるので、痛みの発生が軽減される。
【図面の簡単な説明】
【０００８】
【図１】本発明腰痛ベルトの内面側説明図。
【図２】本発明腰痛ベルトのパッドによる押圧位置を示す模式説明図。
【図３】（１）は本発明腰痛ベルトのパット例を示す正面説明図、（２）は同平面説明図、（３）は同断面説明図。
【図４】上殿皮神経と中殿皮神経の出口部を示す模式説明図。
【発明を実施するための形態】
【０００９】
以下本発明の実施の形態を図面と共に説明する。
【００１０】
図１において、１０はベルト本体で、その具体的な形状や素材は、腰痛ベルトとして着用可能なものであれば特に制限されない。
このベルト本体１０の背当て部１１の内面側（身体に接する側）には、一対の上殿皮神経用パッド１２ａ，１２ｂと、一対の中殿皮神経用パッド１３ａ，１３ｂが、面ファスナー等により着脱自在に取り付けられ、適宜取り付け位置を変更することが可能となっている。
尚、左右の上殿皮神経と左右の中殿皮神経は、左右の広背筋の腹側から左右の大殿筋の表面に出てくる神経である。
【００１１】
上殿皮神経用パッド１２ａ，１２ｂは、図２に示すように、大殿筋２０表面における上殿皮神経３０の出口部３０Ｐの前後を挟む２ヶ所で押圧する位置に取り付けられている。
また、中殿皮神経用パッド１３ａ，１３ｂは、図２に示すように、大殿筋２０表面における中殿皮神経４０の出口部４０Ｐの前後を挟む２ヶ所で押圧する位置に取り付けられている。尚、図２中、５０は腸骨稜を示している。
当該２ヶ所で押圧するパッド１２ａと１２ｂ並びにパッド１３ａと１３ｂの間隔としては１〜４cm、特に３cm程度が好ましい。
【００１２】
図１に示す例においては、左側の上殿皮神経の出口部３０Ｐと、右側の中殿皮神経の出口部４０Ｐにそれぞれパッドが取り付けられているが、上殿皮神経及び中殿皮神経の全ての出口部にパッドを取り付けても良く、またその中の一つの出口部にパッドを取り付けても良い。痛みが発生する部位に応じて適宜選定することができる。
【００１３】
また、当該パッドの形状・硬さ・厚みは、上殿皮神経や中殿皮神経を出口部で押圧し得るものであれば特に制限されないが、例えば図３に示すように、直方体状パットの上部両長手辺縁部を面取りした形態のものが好ましく、その硬さとしては、０．６〜０．９kgf／cm3（ＪＩＳ  Ｋ６７６７試験値）、特に０．８６kgf／cm3が好ましい。また、その材質も特に限定されないが、例えばハサミ等で切ることが可能な材質であれば、適宜切断することにより、形状や厚さを調整し得るので、より望ましい。
【００１４】
１４は神経出口部の目安表示で、ベルト本体１０の背当て部１１の内面側に、ベルト本体１０装着時、骨盤外形に対応する形状を着色等の適宜手段により表示して構成されている。この神経出口部の目安表示１４を利用すれば、ベルト本体１０装着時の、大殿筋表面における神経出口部の位置の把握が容易となるので、パッドの取り付け位置の変更調整をより的確に行なうことができる。
【符号の説明】
【００１５】
１０：ベルト本体
１１：背当て部
１２ａ，１２ｂ：上殿皮神経用パッド
１３ａ，１３ｂ：中殿皮神経用パッド
１４：神経出口部の目安表示
２０：大殿筋
３０：上殿皮神経
３０Ｐ：上殿皮神経出口部
４０：中殿皮神経
４０Ｐ：中殿皮神経出口部
５０：腸骨稜
６０：背骨
【図１】
2016202356.tif 000003
【図２】
2016202356.tif 000004
【図３】
2016202356.tif 000005
【図４】
2016202356.tif 000006
(57)【要約】      （修正有）【課題】粉末インスタントコーヒーの容器開封後の容器内の残る粉末インスタントコーヒーを長期にわたり風味や鮮度等の品質を保持することを可能とする方法の提供。【解決手段】粉末インスタントコーヒーの容器や使用方法はそのままに、粉末インスタントコーヒーを一定量に小分けし、これを圧縮形成などの方法で一定の小さい豆粒状に固形とし、これに長期品質保持のため液体に溶けやすく空気を通さない食品でコーティングすることで、容器開封後から賞味期限まで容器内に残る粉末インスタントコーヒーの風味や鮮度などの品質を保つ方法並び、長期に亘って風味や鮮度等の品質を保てる粉末インスタントコーヒー。【選択図】なし【特許請求の範囲】
【請求項１】
粉末のインスタントコーヒーを一定量で小分けし、これを圧縮形成などの方法で小さい豆粒状に固形し、この表面に長期品質保持の目的で、液体に溶けやすく空気を通さない食品でコーティングして空気との接触を遮り、この小さな豆粒状に固形してその表面をコーティングした粉末インスタントコーヒーをコーヒーカップに適量を入れ、水や湯などの液体を注ぐだけで薫り立つ質の良いインスタントコーヒーが出来上がることを特徴とするインスタントコーヒー豆。
【発明の詳細な説明】
【技術分野】
【０００１】  本発明は、一定量に小分けした粉末インスタントコーヒーを小さな豆粒状に圧縮形成などで固形とし、この表面を液体に溶けやすく空気を通さない食品でコーティングして空気との接触を遮り、長期品質保持を可能としたインスタントコーヒー豆に関するものである。
【背景技術】
【０００２】  従来品の容器に入った粉末インスタントコーヒーでは、容器開封後の消費過程において容器の開閉を繰り返すごとに容器内に残る粉末インスタントコーヒーが空気にさらされ風味や鮮度などが失われていき、粉末インスタントコーヒー本来の風味や鮮度などの品質が容器開封後から賞味期限まで長期に品質が保持されない問題があった。
【発明の概要】
【発明が解決しようとする課題】
【０００３】  解決しようとする問題点は、従来品の容器に入った粉末インスタントコーヒーの容器開封後の消費過程において容器の開閉頻度は多く、その都度、空気にさらされるため容器内に残る粉末インスタントコーヒーの風味や鮮度などの品質が失われてしまうこと、加えて粉末インスタントコーヒー一杯の分量が調節できる範囲内の大きさでの改善が同時に求められる点である。
【課題を解決するための手段】
【０００４】  本発明は一定量に小分けした粉末インスタントコーヒーを圧縮形成などの方法で、一定の大きさの小さい豆粒状に固形し、この表面に液体に溶けやすい空気を通さない食品でコーティングし空気との接触を遮り、長期品質保持ができることを最も主要な特徴とする。
【発明の効果】
【０００５】  本発明のインスタントコーヒー豆は、コーヒーカップにこのコーヒー豆のような豆粒を適量入れて、これに水又は湯などの液体を注ぐと豆粒のコーティングが溶けて中の粉末インスタントコーヒーが溶け広がり、その時コーヒーの薫りが立ち広がり、質の良い出来立てのインスタントコーヒーが味わえ楽しめるという利点がある。
【図面の簡単な説明】
【０００６】
【図１】インスタントコーヒー豆の実施方法を示した説明図である。（実施例１）
【発明を実施するための形態】
【０００７】  粉末のインスタントコーヒーを一定量の小さい豆粒状に圧縮形成などで固形とし、その表面を液体に溶けやすく空気を通さない食品でコーティングすることで粉末インスタントコーヒー自体が空気の接触を遮るので、従来品の粉末インスタントコーヒーの風味や鮮度はそのままで、また使用方法も変更なく容器開封後から賞味期限まで容器内に残る粉末インスタントコーヒーの長期品質保持を可能にした粉末インスタントコーヒーを実現した。
【実施例１】
【０００８】  図１は本発明のインスタントコーヒー豆の１実施例の断面図であって、１は粉末インスタントコーヒー、２は長期品質保持のコーティング食品である。
【産業上の利用可能性】
【０００９】  容器から取り出したインスタントコーヒー豆を小袋に入れて外出し、数時間後に外出先でこのインスタントコーヒー豆で作ったコーヒーをおいしく楽しむこともできる。
【符号の説明】
【０００１０】  １  粉末インスタントコーヒー
２  長期品質保持のコーティング食品
【図１】
2016202160.tif 000002
(57)【要約】【課題】ゼリー入り飲料の新規な製造方法を提供すること。【解決手段】カルシウム反応ゲル化性のゲル化剤と加熱冷却ゲル化性のゲル化剤が共存する溶液をゲル化温度以上に保ちながらカルシウムを含有する溶液と同時または順に容器に充填してゼリー入り飲料製品を得る。【選択図】なし【特許請求の範囲】
【請求項１】
カルシウム反応ゲル化性のゲル化剤と加熱冷却ゲル化性のゲル化剤が共存する溶液をゲル化温度以上に保ちながらカルシウムを含有する溶液と同時または順に容器に充填して成るゼリー入り飲料製品およびその製造方法。
【請求項２】
カルシウム反応性のゲル化剤としてアルギン酸ナトリウム、ＬＭペクチンから選ばれる１種または２種である請求項１記載のゼリー入り飲料製品およびその製造方法。
【請求項３】
加熱冷却ゲル化性のゲル化剤としてカラギーナン、ローカストビーンガム、グァーガム、キサンタンガム、寒天、ジェランガムから選ばれる１種または複数種である請求項１記載のゼリー入り飲料製品およびその製造方法。
【請求項４】
カルシウムを含有する溶液のカルシウム源が、乳酸カルシウム、塩化カルシウム、第二リン酸カルシウム、クエン酸カルシウム、炭酸カルシウムから選ばれる１種または２種以上である請求項１記載のゼリー入り飲料製品およびその製造方法。
【発明の詳細な説明】
【発明の詳細な説明】
【技術分野】
【０００１】  本発明は、ゼリー入り飲料、及びその製造方法に関する。
【背景技術】
【０００２】  カルシウム反応ゲル化性のアルギン酸ナトリウムまたはＬＭペクチンの溶液をカルシウムを含む液に滴下、または流し込むとアルギン酸ナトリウムのゲルまたはＬＭペクチンのゲルが液体の中に散在するという状態の飲料となる。このゲルはカルシウム液と直接触れ合った面が強くかたまるので、これを食べると紙を食べる様な食感になる傾向にある。これを一般によく使用される加熱冷却ゲル化性の寒天やカラギーナンなどを使って得られるゲルのような食感にできれば、より多彩な製品作りに応用が可能になると考えられる。【０００３】  アルギン酸ナトリウムやＬＭペクチンなどのカルシウム反応は通常は常温以下の温度で反応させる。寒天やカラギーナンなどではゲル化温度が約４０℃、約３０℃となるため、常温ではゲル化し、流動性が失われるので、アルギン酸ナトリムなどと併用して使用することが困難となっている。
【発明の開示】
【発明が解決しようとする課題】
【０００４】  上記したように、カルシウム反応ゲル化性ゲル化剤溶液をカルシウム溶液と反応させてゼリー入り飲料を製造するとき、好ましい食感のゼリーを生成させるために、本発明者は新しい製造方法を考案した。【０００５】  本発明は、上記カルシウム反応ゲル化性のアルギン酸ナトリウムまたはＬＭペクチンのカルシウム反応を利用するときに、加熱冷却ゲル化性のカラギーナン、ローカストビーンガム、グァーガム、キサンタンガム、寒天、ジェランガム一品または複数品を共存させることによって、好ましい食感のゼリー入り飲料を製造できるようにすることを目的とする。
【課題を解決するための手段】
【０００６】  本発明者らはゼリー入り飲料を製造するに当たり、新たな方法を見出し、本発明を成すに至ったものである。【０００７】  即ちカルシウム反応ゲル化性のアルギン酸ナトリウム、ＬＭペクチンの一方または両方と加熱冷却ゲル化性のゲル化剤であるカラギーナン、ローカストビーンガム、グァーガム、キサンタンガム、寒天、ジェランガムなどのゲル化剤を一品または複数種を一緒に加熱溶解し、ゲル化温度以上で保持する。この溶液をカルシウムを含む液に滴下または流し込んで反応させ、ゲル化させることにより、好ましい食感のゲルが散在する飲料を得ることを特徴とする。
【発明の効果】
【０００８】  ゼリー液をカルシウムを含む溶液に滴下または、流し込むだけでゼリー入り飲料を製造できる。例えばこの二液を８５℃に保ちながら容器に充填すれば、ホットパック製法となり、シェルフライフの長い製品が得られる。また、容器に充填した後、１１０〜１３０℃程度のレトルト殺菌を行ったのちもゲルが溶融せずに残存するため、ｐＨ中性の飲料を製造することも可能となる。これらは加熱冷却ゲル化剤の好ましい食感をもつゼリー入り飲料となる。
【発明を実施するための最良の形態】
【０００９】  カルシウム反応性のゲル化剤としてアルギン酸ナトリウム、ＬＭペクチンから選ばれる１種または２種を使用する。【００１０】  加熱冷却ゲル化性のゲル化剤としてカラギーナン、ローカストビーンガム、グァーガム、キサンタンガム、寒天、ジェランガムから選ばれる１種または複数種を使用する。いろいろと組み合わせることにより、出来上がった製品のゼリーの食感は変化し、ゼリーの大きさや形状も調整ができる。【００１１】  カルシウム入り飲料として、フルーツ味の酸性品、コーヒー飲料、ミルク入りコーヒー飲料などの中性品を使用する。乳酸カルシウムならば０．０１〜１．０％を溶かしこんでおく。カルシウム源としては、他に、塩化カルシウム、第二リン酸カルシウム、クエン酸カルシウム、炭酸カルシウム等、用途に合わせて選ぶことができる。【００１２】カルシウム反応ゲル化性のゲル化剤と加熱冷却ゲル化性のゲル化剤が共存する溶液をゲル化温度以上に保ちながらカルシウムを含有する溶液と同時または順に容器に充填する。
【実施例１】
【００１３】本発明のゼリー入り飲料を製造するに当り、表１の配合でカルシウム反応ゲル化性のゲル化剤溶液を加熱溶解、殺菌して７０℃に調整する。一方、表２の配合でカルシウム入り飲料を溶解し、殺菌して７０℃に調整しておく。表２のカルシウム入り飲料および、表１のゲル化剤製溶液を容器に充填したのち密閉することにより、目的のゼリー入り飲料を得た。官能検査の結果を表３に示す。【００１４】
【表１】
2016202158.tif 000002
【００１５】
【表２】
2016202158.tif 000003
【００１６】
【表３】
2016202158.tif 000004
【実施例２】
【００１７】本発明のゼリー入り飲料を製造するに当り、表４の配合でカルシウム反応ゲル化性のゲル化剤溶液を加熱溶解し、７０℃に調整する。一方、表５の配合でカルシウム入り飲料を加熱溶解し、７０℃に調整しておく。表５のカルシウム入り飲料および表４のゲル化剤溶液を容器に充填したのち密封、１２０℃３０分間のレトルト加熱殺菌をすることにより、目的のゼリー入り飲料を得た。官能検査の結果を表６に示す。【００１８】
【表４】
2016202158.tif 000005
【００１９】
【表５】
2016202158.tif 000006
【００２０】
【表６】
2016202158.tif 000007
(57)【要約】【課題】園芸用散水装置では蛇口から散水箇所まで１０ｍ、２０ｍと離れている場合は蛇口にホースの一端を取付けてからホースを散水箇所まで敷設して、一旦蛇口まで戻って水栓を開き再度散水箇所まで戻って散水を行うという不便があり、蛇口と散水箇所まで往復するあいだに無駄な水を放出するという不便もあった。【解決手段】ホースの一端を取付けた電磁弁体を蛇口に取付けて、この時点で水栓を開いてホースを散水箇所まで敷設をする。ここで水栓の箇所まで戻ることなくノヅル体の切／入スイッチを「入」とすることにより散水できるようにした。散水が終了したら切／入スイッチを「切」とすれば水の放出は止まり、従来のように蛇口まで戻って水栓を閉めるまでのあいだ無駄な水を放出するという不便さをなくした。【選択図】図１
2016202155.tif 000002
【特許請求の範囲】
【請求項１】
電波信号により散水、止水の制御を行う園芸用散水装置において
ホースの水を散水するノズル体と
電磁弁の開閉を行う電磁弁体とを備え
上記ノズル体は
ホース取り付け部と
散水を行う散水部と
上記電磁弁体の制御を行う電波を発信する信号発信部と
該信号発信部に切／入信号を送る切／入スイッチと
該信号発信部及び該切／入スイッチに電力を供給する電源部
とを有し
上記電磁弁体は
上記ノズル体から発信された信号を受信する信号受信部と
該信号受信部で受信した信号で作動する電磁弁と
該信号受信部及び該電磁弁に電力を供給する電源部と
蛇口取付部及びホース取付部
とを有することを特徴とする園芸用散水装置。
【発明の詳細な説明】
【技術分野】
【０００１】    本発明は、電波制御により電磁弁の開閉を行い散水、止水を行う園芸用散水装置に関する
【背景技術】
【０００２】  従来の園芸用散水装置はホースの一端を水道蛇口に取付け、他端に散水ノズルを取付けたものである。散水ノズルには散水の水形を「撹散」「ストレート」「ジョウロ」「シャワー」「ストップ」など数種類に変化させる装置が付いているのが通常である。【０００３】    これを実際に使用するには、蛇口にホースの一端を装着し蛇口の水栓を開いてから散水箇所までホースリールを持って移動するわけであるが、ホースが１０ｍ、２０ｍと長くなってくると散水箇所に到着する以前にホースリールに残っているホースに過大な水圧がかかってホースが破裂したり接続部分でホースが外れたりするので、水栓を開く以前にホースを散水箇所まで伸ばしてそれから水栓を開かなければならなかった。【０００４】  又散水を終了してから蛇口の箇所まで戻って水栓を閉めるまでの間、水を無駄に流すという不便さもあった。
【発明の開示】
【発明が解決しようとする課題】
【０００５】    以上に述べたように従来の園芸用散水装置ではホースが１０ｍ、２０ｍと長くなってくるとホースを敷設してから蛇口の箇所まで戻り水栓を開いて、再度ノズルの箇所まで戻って散水を行うので時間がかかり、ノズル箇所まで戻る以前にすでにノズルから無駄な水が散水されているという不便さがあった。【０００６】  また散水を終了してから蛇口の水栓を閉じるまでの間に無駄な水を流すという不便さもあった。【０００７】  本発明はこのような従来の散水装置が有している問題を解決しようとするものでありホースを敷設した時点で蛇口の箇所へ戻ることなく即散水を行うことができ、散水を止める必要が生じた時点で即その場所で散水を停止することが出来る散水装置を提供することを目的とする。
【課題を解決するための手段】
【０００８】  本発明は上記目的を達成するために、電波信号により散水及び止水の制御を行う園芸用散水装置において、ホースの水を散水するノズル体と、電磁弁の開閉を行う電磁弁体とを備え、上記ノズル体はホース取付部と、散水を行う散水部と、上記電磁弁体の制御を行う電波を発信する信号発信部と、該信号発信部に切／入信号を送る切／入スイッチと、該信号発信部及び該切／入スイッチに電力を供給する電源部とを有し、上記電磁弁体は上記ノズル体から発信された信号を受信する信号受信部と、該信号受信部で受信した信号で作動する電磁弁と、該信号受信部及び該電磁弁に電力を供給する電源部と、蛇口取付部及びホース取付部とを有するようにしたものである【０００９】  そしてこのような構造としたので、従来の装置では蛇口にホースを取付けてすぐに蛇口の水栓を開くとリールに巻かれている部分の水圧が高くなり事故が発生するが、本発明では蛇口に電磁弁体を介してホースを取付けるのでその時点で水栓を開いてもホースの破裂などは生じない。
【発明の効果】
【００１０】  上述したように本発明の散水装置はホースリールに巻かれているホースを蛇口に取付けてこ時点で水栓を開いてもホース破裂などの事故は生じない。そして散水をしたい時点で散水ができ水を止めたいとき直ぐに止水することが出来る。【００１１】  そして散水、止水を行うために蛇口まで戻って水栓を開く閉じるという動作がなくなるということで時間の節約になり水の節約にもなる。【００１２】  また散水箇所が数箇所あり移動して散水を行う場合でも移動するときは手元で水を止めておくことができるので更に水の節約になる。
【発明を実施するための形態】
【００１３】  以下本発明の実施形態を図により説明する」。
【００１４】  図において１はノズル体でありホース取付部３と、散水を行う散水部４と、切／入スイッチ６と、該切／入スイッチ６で電磁弁９を制御する信号を送る信号発信部５とを有している。
【００１５】  電磁弁体２はホース取付部３と、電磁弁９と、信号受信部８とを有している。該信号受信部８は上記ノズル体１の信号発信部５からの電波を受信して電磁弁９を動作させるものである。
【００１６】  以下散水を開始するまでの手順を述べる。
【００１７】  一端にノズル体１を取付け、他端に電磁弁体２を取付けたホースをホースリールに巻いておき蛇口に電磁弁体２を取付けてから水栓を開く
【００１８】  ホースを敷設しながらホースリールを散水個所まで移動する。ホースリールにホースが巻かれたまま残っているときは、リールからホースを伸ばしておく。
【００１９】  従来の装置ではここで蛇口まで戻って水栓を開いて再度散水個所まで戻って散水を行っていたが、本発明では蛇口まで戻ることなくノズル体１の切／入スイッチ６を「入」とすることにより信号発信部５から「入」信号が発信される。
【００２０】  信号発信部５から発信された「入」信号は電磁弁体２の信号受信部８で受信され電磁弁９を開く。これによりノズル体１から水が放出され散水が行われる。
【００２１】  散水作業が終了した場合や他の散水個所へ移動する場合はノズル体１の切／入スイッチ６を「切」とすることにより電磁弁体２の電磁弁９が「閉」となり散水は止まる。
【図面の簡単な説明】
【００２２】
【図１】  本発明の概念図
【符号の説明】
【００２２】１  ノズル体                ６  切／入スイッチ      １１  蛇口への取付け部
２  電磁弁体                ７  電源部
３  ホース取付け部          ８  信号受信部
４  散水部                  ９  電磁弁
５  信号発信部            １０  電源部
【図１】
2016202155.tif 000003
(57)【要約】【課題】  紅茶や牛乳などの飲み物やパンやケーキなどに簡単に果実の風味付けできる粉末乾燥果実砂糖や粉末乾燥果実塩を提供する。【解決手段】  殺菌した果実を凍結乾燥させ水分量をおおよそ５％以下にした乾燥果実を、粉砕機により粒径を約５００μ、１００μ程度の２種類に粉砕し、それぞれを適宜な配合で混ぜ、さらにオリゴ糖、グラニュー糖、または粉砕した岩塩を混ぜ加えたことを手段とする粉末乾燥果実調味料。【特許請求の範囲】
【請求項１】
殺菌した果実を凍結乾燥させ水分量をおおよそ５％以下にした乾燥果実を、粉砕機により粒径を約５００μ、１００μ程度の２種類に粉砕し、それぞれを適宜な配合で混ぜ、さらに紛体のオリゴ糖、グラニュー糖、または紛体の岩塩を混ぜ加えたことを特徴とする乾燥果実調味料
【発明の詳細な説明】
【技術分野】
【０００１】  本発明は乾燥果実調味料に関する。
【背景技術】
【０００２】  従来の果実調味料は濃縮されたペースト状になったものしかなく、また有機酸や多くの糖類を添加物として使用している。このため人工的な風味はあるが食感には考慮されていなかった。食感を求めて果肉を加えたりしたものもある。しかしこれらはジャムとしてのものであり砂糖や塩のような調味料としての扱いはできなかった。
（例えば、特許文献１参照）
【先行技術文献】
【０００３】
【特許文献】
【特許文献】  特開２０１１−０８７４６９
【発明の概要】
【発明が解決しようとする課題】
【０００４】  紅茶やクリーム、菓子、パンなどに振り掛けるなどして果実風味を演出できる砂糖調味料が紛体ベースではなく、また粒径の大きなもので食感を作り、粒径の小さなもので味を引き出させるものがなかった。【０００５】  また、おにぎりなどに簡単にふりかけるごま塩はあるが、果実風味を持つ塩調味料もなかった。
【課題を解決するための手段】
【０００６】  本発明は味だけではなく食感も感じ取れるようにした乾燥果実調味料で、殺菌した果実を凍結乾燥させ水分量を５％以下にした乾燥果実を、粉砕機により粒径を約５００μ、１００μ程度の２種類に粉砕し、それぞれを適宜な配合で混ぜ、さらに粉末のオリゴ糖、グラニュー糖、または粉末の岩塩を混ぜ加えた乾燥果実調味料である。【０００７】  本発明の果実糖としては粒径配合された粉末乾燥果実、オリゴ糖、グラニュー糖の体積比を７：２：１に配合し、果実塩は粉末乾燥果実、粉末岩塩の体積比を９：１に配合させる。
【発明の効果】
【０００８】  本発明は有機酸を使わず自然の果実のみを使用し風味を生かすことに注目したもので、代表的な果実としては桃、リンゴ、サクランボ、イチゴ、ブルーベリーなどの果実を凍結乾燥させ加工し、長期保存を可能にしたものである。
【発明を実施するための形態】
【０００９】  果実に含まれる種子は凍結乾燥させた後、ソフト破砕工程で除去し、粉砕工程で粒径を整えている。粒径は前記しているが食感を求めるため、果実によっては粒径を９００μ〜１０００μとするものもある。
【００１０】  また、岩塩に関しては粉砕工程があり粒径を果実粒径に合わせることなどもできる。
【実施例】
【００１１】  収穫された果実は殺菌工程を行ってから桃やリンゴのように比較的大きなものは裁断され、内在する種子や芯など果実の味に関与しない部分などを摘出除去し、速やかに凍結乾燥工程に移される。その後ソフト破砕工程、粉砕工程に移され粒径を整える。【００１２】  また小さな果実であるサクランボやイチゴ、ブルーベリーなどは殺菌工程を行った後、裁断や種子の摘出は行わず凍結乾燥工程に移される。サクランボの種子やイチゴの表面にある種子は凍結乾燥後ソフト破砕工程で分別除去され、粉砕工程に移され粒径を整える。【００１３】  前記工程で作られた粒径調整された粉末乾燥果実に果実糖として、オリゴ糖、グラニュー糖の体積比を７：２：１に配合し、果実塩は粉末乾燥果実、粉末岩塩の体積比を９：１に配合させる。【００１４】  果実糖は紅茶やホットミルクなどに入れると、例えば桃果実糖であれば粒径の大きい粒子のものは液面に浮き、口中でサクサク感の食感を作り上げ、粒径の細かい粒子は早くに水分を吸収するため液中に混ざりこみ桃の味と香りを持続させる効果を持っている。【００１５】  また果実糖は焼かれたパンなどの表面にバターなどのが塗られた上に振り掛けることで、同じく桃果実糖であれば粒径の大きい粒子でサクサク感を食感として作らせ、粒径の細かい粒子で桃の味と香りを作らせている。【００１６】  また果実塩は基本的に砂糖ベースか塩ベースかの違いではあるが、おにぎりなどの表面に振り掛けることで果実の風味を楽しむことができるものである。
おにぎりの振り掛ける塩としてごま塩があるが、果実塩の作製はごま塩と違い粉砕工程がないことが大きな違いである。【００１７】  果実塩の別の演出として、同じ果実を生で食するときに振り掛けることで甘さを引き出す効果がある。【００１８】  つまり、殺菌した果実を凍結乾燥させ水分量をおおよそ５％以下にした乾燥果実を、粉砕機により粒径を約５００μ、１００μ程度の２種類に粉砕し、それぞれを適宜な配合で混ぜ、さらに紛体のオリゴ糖、グラニュー糖、または紛体の岩塩を混ぜ加えたことを特徴とする乾燥果実調味料で砂糖、塩を調味料として使用しているほとんどの調理場面で、本発明の乾燥果実調味料が使用できるものである。
(57)【要約】      （修正有）【課題】ペット用のトイレの処理を誰もが簡単にできるトイレの提供。【解決手段】爪とぎ付きのスロープ８を付けた高さを持った本体１の上にペットが用をたすトイレを設ける。トイレは入り口２と汚物取り出し用の扉３を持つ。本体には引き出しや扉を設け、使用前、使用後の砂入れ、掃掃除道具を収容できる。【選択図】図１
2016202156.tif 000002
【特許請求の範囲】
【請求項１】
高さを設けたことを特徴としたペット用トイレ。
【請求項２】
直接床に置くのではなく高さがあることを特徴とする請求項１記載のペット用トイレ。
【請求項３】
今まで使用していたトイレをムダにする事がない。
【請求項４】
このトイレに必要な物が集約されている。
【発明の詳細な説明】
【技術分野】
【０００１】  この発明は、ペット（主として猫）を飼育している飼い主の為のトイレである。
【背景技術】
【０００２】  通常のトイレとは、床に直接置き、排泄後の処理は飼い主がその都度立ったりしゃがんだりする物である。
【先行技術文献】
【特許文献】
【０００３】
【特許文献１】特開２００８−２５９４８３号公報
【発明の概要】
【発明が解決しようとする課題】
【０００５】  しかしながら、以上の技術によれば、健常者や若者には苦もなく特に問題もなく排泄物の処理は出来るが、脚や腰が不自由な方やお年寄り、太っている方にとっては、とても困難な事だと思う。
そこで、この発明は、老若男女、健常者か否かを問わずに処理が簡単にできるトイレを提供することを課題とする。
【課題を解決するための手段】
【０００６】  以上の課題を解決するために、第一発明は、トイレを床に置くタイプではなく高さを設けたことを特徴とし、市販のトイレをそのまま利用することができる。
また、第二発明は、トイレに付帯する全ての物を一括にまとめられたトイレである。
【発明の効果】
【０００７】  第一発明、または第二発明によれば、トイレに高さを設ける事により、足腰に負担を掛けずに排泄物の処理をすることが出来る。
【図面の簡単な説明】
【０００８】
【図１】本発明の斜視図である。
【図２】本発明の正面図である。
【図３】８−９開帳平面図である。
【図４】５−６引出時斜視図である。
【図５】２開閉説明斜視図である。
【発明を実施するための形態】
【０００９】  この発明の一実施形態を、図１に示す。
トイレの本体１はアクリル板であり、汚れにくい素材であり、色は４色（赤／黒／ピンク／茶）展開である。
１０スロープで、４トレイに上がり、猫が用をたす物である。
本体下５はマグネラッチ式扉になっており、トレイの出し入れが楽である。
２フタは側面がフラップ式扉になっており、汚物の取り出しが容易である。
６、７は引き出しで使用済み猫砂、新しい猫砂入れとなる。
８、９は観音開きになっており、掃除用具、開封前の猫砂がストックできる。
【００１０】「実施形態の効果」
この実施形態によれば、お洒落でとてもかわいい製品なので、リビング、その他の部屋に置くことができ、若い方を問わず大変喜んでもらえる製品です。
また、老若男女、健常者か否かを問わず全ての飼い主にとって、とても容易にペットのトイレの処理をすることができる。また、全ての物を（ネコ砂、ゴミ袋等）を一カ所に集約することにより移動範囲が少なくて済む。したがって置く場所を問わずどこにでも家具感覚で配置することができる。
「他の実施形態」
図４の実施形態では、ネコがトイレに上がるためのスロープを爪研ぎと兼用にし、トイレに行くことが楽しくなるようにしてある。
【符号の説明】
【００１１】１．本体
２．フタ
３．トイレ出入り口扉
４．開封済み猫砂入れ扉
５．使用済み猫砂入れ扉
６．開封前猫砂貯蔵庫扉
７．掃除用具入れ扉
８．爪とぎつきスロープ
１１．開封前猫砂貯蔵庫
１２．掃除用具入れ
１３．スロープ掛け口
４１．開封済猫砂入れ
５１．使用済猫砂入れ
【図１】
2016202156.tif 000003
【図２】
2016202156.tif 000004
【図３】
2016202156.tif 000005
【図４】
2016202156.tif 000006
【図５】
2016202156.tif 000007
(57)【要約】      （修正有）【課題】バッカンを使用する釣り人のポイント移動の手間を軽減することができる釣り用スタンドを提供する。【解決手段】釣り用スタンド１は、釣り用の撒き餌が収納され持ち手が設けられたバッカンを載置可能であり、載置部１０と、固定部２０と、脚３０と、を備える。載置部１０は、複数の脚３０に支持され、上部にバッカンが載置される。固定部２０は載置部１０に一端が固定され、他端がバッカンの上端に係止され、互いに対向する一対で設けられている。【選択図】図１
2016202056.tif 000002
【特許請求の範囲】
【請求項１】
釣り用の撒き餌が収納され持ち手が設けられたバッカンを載置可能な釣り用スタンドであって、
複数の脚に支持され、上部にバッカンが載置される載置部と、載置部に一端が固定され、他端がバッカン上端に係止され、互いに対向する一対で設けられた固定部と、を備える釣り用スタンド。
【請求項２】
載置部は、  平面視で四角形状に形成され、その裏面には、脚の上端が挿入され固定可能な４つの脚穴が形成され、少なくとも１辺の略中央には側縁近傍において、上下方向に貫通し、上方又は下方から脚の端部が挿入され、固定可能な貫通孔が形成されている請求項１に記載の釣り用スタンド。
【発明の詳細な説明】
【技術分野】
【０００１】
釣り用の撒き餌が収納され持ち手が設けられたバッカンを載置可能な釣り用スタンドに関する。
【背景技術】
【０００２】
特許文献１には、各脚部の拡開状態で支持バーを略水平状態に固定し、各ロッドを任意の突出長でロックすることにより、地面に凹凸や傾斜があっても、しじバー上にバッカンを使いやすい高さで水平に安定して置くことが出来る釣り用スタンド装置が提案されている。
【先行技術文献】
【特許文献】
【０００３】
【特許文献１】特開平８−１８７０４７号公報
【発明の概要】
【発明が解決しようとする課題】
【０００４】
しかしながら、釣り人は、釣りを行うポイントを移動する場合がある。このとき、特許文献１の釣り用スタンド装置を使用する釣り人は、バッカンを釣り用スタンド装置から下ろし、釣り用スタンド装置をコンパクトに収納し、ポイントを移動し、次のポイントで、再び釣り用スタンド装置を設置し、バッカンを置く。このため、バッカンを使用する釣り人は、ポイント移動の度に、多大な手間が発生していた。
【０００５】
本発明は、バッカンを使用する釣り人のポイント移動の手間を軽減することを目的とする。
【課題を解決するための手段】
【０００６】
釣り用の撒き餌が収納され持ち手が設けられたバッカンを載置可能な釣り用スタンドであって、複数の脚に支持され、上部にバッカンが載置される載置部と、載置部に一端が固定され、他端がバッカン上端に係止され、互いに対向する一対で設けられた固定部と、を備える釣り用スタンド。
【０００７】
載置部は、平面視で四角形状に形成され、その裏面には、脚の上端が挿入され固定可能な４つの脚穴が形成され、少なくとも１辺の略中央には側縁近傍において、上下方向に貫通し、上方又は下方から脚の端部が挿入され、固定可能な貫通孔が形成されている請求項１に記載の釣り用スタンド。
【発明の効果】
【０００８】
本発明によれば、釣り人は、バッカンの持ち手を握り、バッカンを持ち上げることで、釣り用スタンド装置ごと持ち上げ、ポイント移動できるので、バッカンを使用する釣り人のポイント移動の手間を軽減できる。
【図面の簡単な説明】
【０００９】
【図１】本発明の実施形能に係るスタンド１の斜視図である。
【図２】本発明の実施形能に係るスタンド１にバッカンを設置した状態を示す図である。
【図３】本発明の実施形能に係る釣り用スタンド１の脚を説明する図である。
【図４】本発明の実施形能に係る釣り用スタンド１の脚を説明する図である。
【図５】本発明の実施形能に係る釣り用スタンド１の使用例を説明する図である。
【図６】本発明の実施形能に係る釣り用スタンド１の使用例を説明する図である。
【発明を実施するための形態】
【００１０】
釣り用スタンド１は、釣り用の撒き餌が収納され持ち手が設けられたバッカン１００を載置可能であり、載置部１０と、固定部２０と、脚３０と、を備える。載置部１０は、複数の脚３０に支持され、上部にバッカン１００が載置される。載置部１０は、平面視で四角形状に形成され、その裏面には、脚３０の上端が挿入され固定可能な４つの脚孔１１が形成され、少なくとも１辺の略中央には側縁近傍において、上下方向に貫通し、上方又は下方から脚３０の端部が挿入され、固定可能な貫通孔１２が形成されている。
【００１１】
固定部２０は載置部１０に一端が固定され、他端がバッカン１００の上端に係止され、互いに対向する一対で設けられている。
【００１２】
脚３０は、上端部３１が脚孔１１と係合可能な形状に形成され、脚穴１１を形成する部分とともに、ピン４０により貫通される上ピン孔３２が形成されている。また図４に示すように、脚３０の下端には、補助脚３５を連結してもよい。この場合、脚３０の下端側には、補助脚３５の上端側に形成された補助脚孔３６とともにピンにより貫通される下ピン孔３３を形成してもよい。
【００１３】
また、図５に示すように、脚３０は、上端部３１を貫通孔１２に上方から差し込むことで、竿置きとして機能する。一方、図６に示すように、脚３０は、上端部３１を貫通孔１２に下方から差し込むことで、脚として機能する。
釣り用スタンド１は、脚３０とは異なる長さの補助脚３５を脚孔１１に挿入することで高さの変更ができ、堤防釣りなど高さが必要ない場所での使用もでき、補助脚を貫通孔１２に上方から挿入し、竿置きを設置することにより、移動が容易なバッカン１００と竿置きが一体となった釣り用スタンドとなる。
【００１４】
釣り用スタンド１は、貫通孔１２に補助脚３５を下方から挿入することにより、３本の足で支持することができ、これにより消波ブロックや岩場での安定性を得られる。
【００１５】
釣り用スタンド１は、脚３０と異なる長さの複数の補助脚３５を組み合わせ連結することにより、凹凸や傾斜の場所でも、載置部１０を水平に近い状態に設置できる。
【符号の説明】
【００１６】
１    釣り用スタンド                    
１０  載置部  
１１  脚孔
１２  貫通孔                    
２０  固定部  
２１  ベルト
２２  フック
３０  脚
３１  上端部
３２  上ピン孔
３３  下ピン孔
３５  補助脚
３６  補助脚孔
４０  ピン
１００  バッカン  
【図１】
2016202056.tif 000003
【図２】
2016202056.tif 000004
【図３】
2016202056.tif 000005
【図４】
2016202056.tif 000006
【図５】
2016202056.tif 000007
【図６】
2016202056.tif 000008
(57)【要約】【課題】カラオケボックスやスナックなどでカラオケを楽しむ場面で、タップを踏む人はいない。簡単に気楽にタップを楽しめる状況ではない。【解決手段】普通の靴でもタップシューズに変身できるように、靴全体をカバーできるラバー製のサンダルの底に、配置間隔を考慮した小さな穴を開け、そこにスチール製の円盤チップをいくつか嵌め込むことで代用する。フィット感を高めるために、爪先と甲の部分に調整ボタンを設けた。あとは限られたスペースに合わせたスチール製プレートがあれば、タップを楽しめる。プレートにピックアップ装置を設ければ、音響効果も期待できる。【選択図】図１
2016202850.tif 000002
【特許請求の範囲】
【請求項１】
普通の靴全体をカバーできる大きさをもったラバー製サンダルに、スチール製の円盤チップをタップ用として嵌め込むための小さな穴を１０個ほど開けたもの。
【請求項２】
スチール製の円盤チップは、留め具部分をもつキノコ型の形状。服に通すボタンの要領で穴に嵌め込む留め具部分は、サンダルのラバーの伸縮性を考慮して、形状はフラットな円盤で、穴の大きさの約２倍の大きさで統一し、キノコ型の傘になる部分の大きさは特に規定しない。
【請求項３】
サンダルのアッパーになる踵部分に脱落を防ぐためのツメを設け、爪先や甲の部分の一部は切り離してジャンパーホックボタン等でフィット感を調整できるようにした。
【発明の詳細な説明】
【技術分野】
【０００１】  本発明は、特にカラオケを歌える場所で、気軽にタップも楽しめる遊具に関するものである。
【背景技術】
【０００２】  現在、カラオケを楽しむ人が多い。歌う本人以外でもタンバリンやマラカスなどの楽器で雰囲気を盛り上げている。しかし、曲に併せてタップを踊ろうという人はほとんどいない。
【先行技術文献】
【特許文献】
【０００３】
【特許文献１】特開２００３−２２８３７１号
【発明の概要】
【発明が解決しようとする課題】
【０００４】  現在、カラオケボックスやスナックなどで気軽にタップを踏もうとしてもタップシューズやプレートなどなく、簡単に楽しむことができないのが現状である。
本発明は、以上の問題点を解決するためのものである。
【課題を解決するための手段】
【０００５】  普通の靴全体をカバーできるラバー製のサンダルの底に予め小さな穴を開けておき、数個のスチール製の留め具部分をもつキノコ型円盤チップを、服にボタンを通すように穴に嵌めてタップシューズの代用とする。カラオケを楽しむ限られたスペースだと６００ｍｍ平方ほどのスチール製プレートを用意すれば、タップ用のステージが出来上がる。
以上の構成によりなるタップを楽しむ遊具。
【発明の効果】
【０００６】  このタップ用チップを装着したラバー製のサンダルは、チップの脱落を気にせず、安心して楽しめる。タンバリンやマラカスと同様に、リズム楽器として愛用できる。またスチール製プレートにピックアップ装置を備えて音響効果を上げることも可能である。カラオケを楽しむ場所に限らず、硬質な盤上ならば屋外などでもタップを楽しめるが、その場合は周囲の迷惑とならないような配慮が必要である。
【図面の簡単な説明】
【０００７】
【図１】本発明の実施状態を示す側面図
【図２】サンダルを上から見た図
【図３】サンダルを下から見た図
【図４】スチール製チップの斜視図
【図５】スチール製チップの断面図
【図６】チップを装着したサンダル底の一例
【発明を実施するための形態】
【０００８】  以下、本発明の実施の形態を説明する。
（イ）厚さ２ｍｍほどの伸縮性のあるラバー製サンダル（１）は普通の靴（１２）全体をカバーし、左右の区別なく同型とする。サンダル底の踵と前方部分にスチール製チップ（２）を嵌め込むための内径５〜６ｍｍの穴（７）を、配置間隔を考慮し１０個ほど開けてある。
（ロ）穴に嵌め込むチップの形状は留め具（９）部分を備えたキノコ型でスチール製。サンダル底の外側となるチップの傘部分（１０）は厚さ３〜４ｍｍで大きさの大小があっても、留め具部分大きさは、伸縮するラバーの穴に嵌め込むボタンの役目を持つため、いずれも厚さ２ｍｍ、直径１３ｍｍほどのフラットな円盤に統一する必要がある。また軸部分（１１）の太さはラバーの穴に合わせて直径５〜６ｍｍとする。
（ハ）伸縮するラバー製サンダルは密着性もあるが、さらにタップの動きを考えて爪先部分（４）と甲（５）にあたるアッパーの一部分を切り離し、ジャンパーホックボタン（６）で密着具合を調整し、フィット感を高めることができるようにした。
（ニ）サンダルの踵部分（３）に、脱落しないように固定させるための差し込み用ツメ（８）を設けた。
（ホ）タップ用プレートは、カラオケが歌える場所を考慮すれば、約６００ｍｍ平方のスチール製の板が適当。音響効果を上げたい場合は、ピックアップ装置を設ける。
本発明は以上のような構造である。
本発明は、穴を配置したラバー製サンダルに、スチール製チップを嵌め込んで使用するが、チップの数や大小も自由に配置アレンジできるのが特徴である。またチップの素材としてセラミック製のものを用意しても良い。あとはプレートの上で楽しくタップを踏めばいい。
【符号の説明】
【０００９】  １ラバー、２チップ、３踵、４爪先、５甲、６ジャンパーホックボタン、７穴、８踵ツメ、９留め具、１０傘、１１軸、１２靴
【図１】
2016202850.tif 000003
【図２】
2016202850.tif 000004
【図３】
2016202850.tif 000005
【図４】
2016202850.tif 000006
【図５】
2016202850.tif 000007
【図６】
2016202850.tif 000008
(57)【要約】【課題】蓋のないしゃもじ入れは、しゃもじのご飯と触れる先端部分がしゃもじ入れの内面と接触してしまう。蓋つきのしゃもじ入れは、しゃもじの出し入れのときに毎回蓋を手で開閉しなければならないものである。  本発明は、しゃもじの先端部分がしゃもじ入れの内面と接触せず、蓋のしゃもじ受け部に置いたしゃもじの柄を動かすことで蓋が開閉できる、しゃもじで蓋を開閉する、しゃもじ入れを提供するものである。【解決手段】しゃもじ入れの蓋の内側部分に、しゃもじの先端部分がしゃもじ入れの内面に接触しないように置けるしゃもじの形態に合致したしゃもじ受け部を設け、しゃもじ入れ本体と蓋の間に蝶番を設け、蓋のしゃもじ受け部に置いたしゃもじの柄を動かすことで蓋が開閉できるようにしたことを特徴とするしゃもじで蓋を開閉する、しゃもじ入れ。【選択図】図１
2016202852.tif 000002
【特許請求の範囲】
【請求項１】
しゃもじ入れの蓋に、しゃもじの形態に合致する形態のしゃもじ受け部を設け、しゃもじをしゃもじ受け部に置けるようにし、しゃもじ入れ本体と蓋の間に蝶番を設け、蓋のしゃもじ受け部に置いたしゃもじの柄を手で動かすことで蓋の開閉ができる、しゃもじで蓋を開閉する、しゃもじ入れ。
【発明の詳細な説明】
【技術分野】
【０００１】  本発明は、家庭の台所や食事の場所において使う、しゃもじで蓋を開閉する、しゃもじ入れに関するものである。
【背景技術】
【０００２】  従来の蓋のない、しゃもじ入れは、しゃもじのご飯と触れる先端部分を、しゃもじ入れに入れるだけのものである。蓋つきのしゃもじ入れもある。
【先行技術文献】
【特許文献】
【０００３】
【特許文献１】特開２００４−１４８０６７号公報
【特許文献２】特開２００１−０８７１４７号公報
【特許文献３】特開平１０−２２５３８７号公報
【特許文献４】実開平０６−０８５６２３号公報
【発明の概要】
【発明が解決しようとする課題】
【０００４】  従来の蓋のない、しゃもじ入れは、しゃもじのご飯と触れる先端部分が、しゃもじ入れの内面と接触してしまうものである。蓋付きのしゃもじ入れは、しゃもじの出し入れのとき毎回蓋を手で開閉しなければならないものである。
本発明は、以上の問題点を解決するものである。
【課題を解決するための手段】
【０００５】  しゃもじ入れの蓋の内側部分に、しゃもじの先端部分が蓋や収納部の内面に接触せず落下もしないように置ける形態のしゃもじ受け部を設け、また、しゃもじにしゃもじ受け部に合致する形態を設け、しゃもじの収納部下の台座と蓋の下部に蝶番を設け、蓋を閉めたとき収納部にしゃもじの柄が当たらないようにする切り欠き部を設け、蓋を開いたときには適度に開いて止まるよう蓋の外側下部に開口角度を決めるための台座に当たる凸部を設ける。
以上の構成よりなるしゃもじで蓋を開閉する、しゃもじ入れ。
【発明の効果】
【０００６】  しゃもじ受け部の形態と合致するしゃもじの形態により、しゃもじは裏、表の向きに関係なくしゃもじ受け部に置くことができ、しゃもじのご飯と触れる先端部分が、しゃもじ入れの蓋や収納部の内面と接触しなくなった。しゃもじ受け部にしゃもじがあれば、しゃもじの柄を握ったまま、左右に動かすことで蓋の開閉ができるので、毎回蓋を手でつかみ開閉する必要が無くなった。しゃもじを取り出し、再度入れるときも、蓋は開いた方向に重心がかかり開いたまま静止しているので、しゃもじ受け部にすぐしゃもじを置くことができ、蓋を閉じれば重心が収納部の方向にかかるので閉じたまま静止する構造である。
【図面の簡単な説明】
【０００７】
【図１】本発明の斜視図
【図２】本発明の使用状態を示す斜視図
【図３】蓋（１）の内側にある、しゃもじ受け部（２）の拡大図
【図４】しゃもじ（３）の形態図
【図５】しゃもじ受け部（２）にしゃもじ（３）を置いた拡大図
【発明を実施するための形態】
【０００８】  以下、本発明の実施の形態を説明する。
（イ）しゃもじ（３）に、落下防止凸部（５）と落下防止部接触位置（７）を設ける。
（ロ）しゃもじ受け部（２）に落下防止凹部（６）と落下防止部（８）を設ける。
（ハ）蓋（１）の内側に、しゃもじ受け部（２）を設ける。
（ニ）収納部（９）に柄の入る切り欠き部（１１）を設ける。
（ホ）台座（１３）と蓋（１）の下部に蝶番（１０）を設ける。
（ヘ）蓋（１）の外側下部に台座（１３）に当たる開口角度制限凸部（１２）を設ける。
本発明は以上のような構造である。
本発明を使用するときは、はじめは、手で蓋（１）を開け、柄（４）を握り、落下防止凹部（６）と落下防止凸部（５）を合致させ、また落下防止部（８）に落下防止部接触位置（７）が重なるようにしゃもじ（３）を置き、握ったままの柄（４）を収納部（９）の方向に動かせば、蓋（１）の重心が収納部（９）の方向にかかり閉まったまま静止しているので、しゃもじ（３）が収納できる。
しゃもじ（３）を取り出すときには、柄（４）を握り収納部（９）の反対方向に動かせば蓋（１）が開き、取り出すことが出来る。蓋（１）は、しゃもじ（３）を取り出しても重心が収納部（９）の反対方向にかかっているので、開いたまま静止しているので、再度収納がすぐ出来る。
しゃもじ（３）の出し入れに際しては落下防止凹部（６）と落下防止凸部（５）の形態により自然な手の動作で、出来るよう配慮した。
【符号の説明】
【０００９】  １蓋、２しゃもじ受け部、３しゃもじ、４柄、５落下防止凸部、
６落下防止凹部、７落下防止部接触位置、８落下防止部、９収納部、１０蝶番、
１１柄の入る切り欠き部、１２開口角度制限凸部、１３台座
【図１】
2016202852.tif 000003
【図２】
2016202852.tif 000004
【図３】
2016202852.tif 000005
【図４】
2016202852.tif 000006
【図５】
2016202852.tif 000007
(57)【要約】      （修正有）【課題】使わなくなったピアスを再利用する為のピアスインアクセサリ−を提供する。【解決手段】アクセサリ−１の一部にピアスをはめ込む為の小さな穴２を数カ所開ける。【選択図】図１
2016202851.tif 000002
【特許請求の範囲】
【請求項１】
アクセサリ−（１）の一部にピアスをはめ込む為の小さな穴（２）を数カ所開けたピアスインアクセサリ−
【発明の詳細な説明】
【技術分野】
【０００１】この発明はアクセサリ−の一部に（ピアスをはめ込む為の）小さな穴を数カ所開けたピアスインアクセサリ−に関するものである。
【背景技術】
【０００２】本来ピアスは耳飾り専用のアクセサリ−であった
【先行技術文献】
【特許文献】
【０００３】
【特許文献１】
【発明の概要】
【発明が解決しようとする課題】
【０００４】ピアスには次のような欠点があった。
購入直後は頻繁に使用するがその内、飽きがきたり派手になり使わなくなる。でも綺麗、可愛い、愛着  があり捨てずに置いてある事が多い。
本発明は使わなくなったピアスを再利用する為になされたものである。
【課題を解決するための手段】
【０００５】アクセサリ−（１）の一部にピアスをはめ込む為の小さな穴（２）を数カ所開ける。
本発明は以上の構成よりなるピアスをはめ込む為のアクセサリ−である。
【発明の効果】
【０００６】手持ちのピアスをピアスインアクセサリ−にはめ込む事により新たなアクセサリ−をつくり出しピアスの再利用が可能となる。
ピアスの新規購入時も、本来のピアス（耳飾り）としての用途は勿論ピアスインアクセサリ−の一部としての購入価値がある。
ピアスとピアスインアクセサリ−の組み合わせを変える事により色々なアクセサリ−に変化する。購入者自身が創作出来る。
【図面の簡単な説明】
【０００７】
【図１】  本発明の正面図  （３）のピアスを利用
【図２】  本発明の正面図  （４）のピアスを利用
【発明を実施するための形態】
【０００８】以下、本発明を実施するための形態について説明する。
アクセサリ−（１）の一部にピアスをはめ込む為の小さな穴（２）を数カ所開ける。穴にピアス（３）飾りが、ぶらさがっている物、（４）飾りが、ぶらさがっていない物  をはめ込む
本発明は以上のような構造である。
【符号の説明】
【０００９】１    アクセサリ−  ２  ピアスをはめ込む為の小さな穴
３    ピアス    飾りが、ぶらさがっている物
４    ピアス    飾りが、ぶらさがっていない物
【図１】
2016202851.tif 000003
【図２】
2016202851.tif 000004